(57)【要約】      （修正有）【課題】外側の表面だけでなく、内部も所望の色合いを出すことができる三次元造形物の提供。【解決手段】三次元造形物を製造するためのインク粒子中に、絶対屈折率が互いに異なる複数種類の着色成分が混合されており、上記複数種類の着色成分のうち、一つの着色成分例えば白色粒子Ｗの外側の表面の少なくとも一部を他の着色成分Ｃ１、Ｃ２、Ｃ３が覆っている三次元造形物製造用インクおよび前記インクを用いて製造された三次元造形物。【選択図】図１
2015186849.tif 000002
【特許請求の範囲】
【請求項１】
絶対屈折率が互いに異なる複数種類の着色成分が混合されており、上記複数種類の着色成分のうち、一つの着色成分の外側の表面の少なくとも一部を他の着色成分が覆っていることを特徴とする三次元造形物製造用インク。
【請求項２】
白色の着色成分の外側の表面の少なくとも一部を白色以外の色の着色成分が覆っていることを特徴とする請求項１に記載の三次元造形物製造用インク。
【請求項３】
上記白色の着色成分は、白色の顔料粒子であることを特徴とする請求項２に記載の三次元造形物製造用インク。
【請求項４】
上記白色の着色成分は中空粒子であり、当該中空粒子の外側の表面の少なくとも一部を白色以外の色の着色成分が覆っていることを特徴とする請求項２に記載の三次元造形物製造用インク。
【請求項５】
請求項１〜４のいずれか１項に記載の三次元造形物製造用インクで製造されていることを特徴とする三次元造形物。
【請求項６】
透明インクで製造された部位をさらに備えることを特徴とする請求項５に記載の三次元造形物。
【請求項７】
請求項１〜４のいずれか１項に記載の三次元造形物製造用インクを用いて三次元造形物を製造する工程を含むことを特徴とする三次元造形物の製造方法。
【請求項８】
透明インクを用いる部位を製造する工程をさらに含むことを特徴とする請求項７に記載の三次元造形物の製造方法。
【請求項９】
請求項１〜４のいずれか１項に記載の三次元造形物製造用インクと、透明インクとを備える三次元造形物製造用インクセット。
【発明の詳細な説明】
【技術分野】
【０００１】
本発明は三次元造形物製造用インク及びその利用に関する。
【背景技術】
【０００２】
特許文献１には、粉体を積層するなどして三次元造形物を製造する方法が記載されている。
【先行技術文献】
【特許文献】
【０００３】
【特許文献１】特開２００１−１６２３５１号公報（２００１年６月１９日公開）
【発明の概要】
【発明が解決しようとする課題】
【０００４】
ところで、三次元造形物の用途によっては、切断して、その断面を観察することがある。例えば、臓器の模型を製造し、その断面を観察することで、臓器の構造を詳細に学ぶことなどが可能になる。しかし、従来の方法では、白色の三次元造形物に着色しているため、断面は白色となる。これでは、三次元造形物のモデルとなった素材の構造を正確に理解することができない。
【０００５】
また、着色インクを用いて、三次元造形物を製造することが考えられるが、本発明者らの検討によれば、単に従来公知の着色インクを積層させただけでは、所望の色合いが得られない場合がある。
【０００６】
本発明はこのような問題に鑑みて成されたものであり、外側の表面だけでなく、内部も所望の色合いを出すことができる三次元造形物を提供することを目的とする。
【課題を解決するための手段】
【０００７】
本発明者らは、単に着色インクを積層させただけでは、得られる三次元造形物の断面において所望の色合いが得られない理由について検討したところ、インクに含まれる着色剤の隠蔽性がないため、従来の二次元印刷における白い下地上へのカラー印刷と異なり、減法混色による色の表現が十分にできないことを見出した。そこで、インクに含まれる着色剤の隠蔽性をインク自体に持たせることに想到した。
【０００８】
すなわち、本発明に係る三次元造形物製造用インクは、絶対屈折率が互いに異なる複数種類の着色成分が混合されており、上記複数種類の着色成分のうち、一つの着色成分の外側の表面の少なくとも一部を他の着色成分が覆っていることを特徴としている。
【０００９】
内側の着色成分が、外側の着色成分の透過した光を反射する機能を発揮するため、当該外側の着色成分の色合いが鮮やかに表現される。よって、外側の表面だけでなく、内部も所望の色合いを出すことができる。
【００１０】
本発明に係る三次元造形物製造用インクでは、白色の着色成分の外側の表面の少なくとも一部を白色以外の色の着色成分が覆っていることがより好ましい。
【００１１】
白色の着色成分は色の隠蔽性により優れている。よって、当該白色の着色成分を覆う着色成分の色合いがより鮮やかになる。
【００１２】
本発明に係る三次元造形物製造用インクでは、上記白色の着色成分は、白色の顔料粒子であることがより好ましい。
【００１３】
白色の顔料粒子は色の隠蔽性により優れている。よって、当該白色の顔料粒子を覆う着色成分の色合いがより鮮やかになる。
【００１４】
本発明に係る三次元造形物製造用インクでは、上記白色の着色成分は中空粒子であり、当該中空粒子の外側の表面の少なくとも一部を白色以外の色の着色成分が覆っていることがより好ましい。
【００１５】
白色の中空粒子も顔料粒子と同様に色の隠蔽性により優れている。よって、当該白色の顔料粒子を覆う着色成分の色合いがより鮮やかになる。
【００１６】
また、本発明に係る三次元造形物は、上述の本発明に係る三次元造形物製造用インクで製造されていることを特徴としている。
【００１７】
本発明に係る三次元造形物製造用インクによって製造されている箇所は、断面にも所望の色合いを出すことができる。よって、断面の色合いが優れた三次元造形物となる。
【００１８】
本発明に係る三次元造形物では、透明インクで製造された部位をさらに備えていてもよい。
【００１９】
透明性を有する部位と、本発明に係る三次元造形物製造用インクで製造された部位とを併存させることによって、視る者に対して、表現の強調の程度の強弱をつけることができる。例えば、視る者に対して、最も強調すべき部位を本発明に係る三次元造形物製造用インクで製造して、最も強調すべき部位の参考となるものではあるが、当該部位ほど強調する必要が無い部位を透明インクで製造するとよい。
【００２０】
また、本発明に係る三次元造形物の製造方法は、上述の本発明に係る三次元造形物製造用インクを用いて三次元造形物を製造する工程を含むことを特徴としている。これにより、本発明に係る三次元造形物を好適に得ることができる。
【００２１】
本発明に係る三次元造形物の製造方法では、透明インクを用いる部位を製造する工程をさらに含んでもよい。透明インクで製造された部位をさらに備える本発明に係る三次元造形物を好適に得ることができる。
【００２２】
また、本発明に係る三次元造形物製造用インクセットは、上述の本発明に係る三次元造形物製造用インクと、透明インクとを備えることを特徴としている。透明インクで製造された部位をさらに備える本発明に係る三次元造形物を好適に得ることができる。
【発明の効果】
【００２３】
本発明によれば、外側の表面だけでなく、内部も所望の色合いを出すことができる三次元造形物を提供することができるという効果を奏する。
【図面の簡単な説明】
【００２４】
【図１】本発明に係る三次元造形物製造用インクの構成を示す模式図である。
【発明を実施するための形態】
【００２５】
＜三次元造形物製造用インク＞
本発明に係る三次元造形物製造用インクは、絶対屈折率が互いに異なる複数種類の着色成分が混合されており、上記複数種類の着色成分のうち、一つの着色成分の外側の表面の少なくとも一部を他の着色成分が覆っている。内側の着色成分が、外側の着色成分の透過した光を反射する機能を発揮するため、当該外側の着色成分の色合いが鮮やかに表現される。つまり、着色成分と、当該着色成分の透過した光を反射する成分を含む。よって、外側の表面だけでなく、内部も所望の色合いを出すことができる。
【００２６】
着色成分とは、インクによって再現する色の要素となる成分である。例えば、顔料、染料等が挙げられる。本発明では、一方の着色成分が、他方の着色成分の色を隠ぺいする成分として機能している。換言すれば、当該隠ぺいする成分は、その隠蔽する機能によって色の再現に寄与することから着色成分といえる。また、一方の着色成分が中空粒子の殻である場合、当該殻の中に包含される空気等の気体も着色成分となる。中空粒子では、外側の殻の部分と内包される空気との屈折率の差が、再現する色合いに影響を与えるからである。例えば、無色の樹脂の中空粒子が白になるのは、当該無色の樹脂と内包される空気との屈折率の差によって起こる光の反射によるものであり、この場合、当該無色の樹脂も内包される空気も着色成分の範疇である。
【００２７】
また、或る着色成分の外側を覆う着色成分は、当該或る着色成分の全面を覆っていることがより好ましい。内側の着色成分のもつ色の影響を抑えることができるからである。
【００２８】
また、外側を覆われる着色成分、つまり、内側の着色成分は、白色の着色成分であることがより好ましい。つまり、本発明に係る三次元造形物製造用インクでは、白色の着色成分の外側の表面の少なくとも一部を白色以外の色の着色成分が覆っていることがより好ましい。白色の着色成分は色の隠蔽性により優れているからである。よって、当該白色の着色成分を覆う着色成分の色合いがより鮮やかになる。
【００２９】
白色の着色成分としては、白色の顔料粒子、中空粒子が挙げられる。白色は色の隠蔽性により優れている。よって、当該白色の着色成分を覆う着色成分の色合いがより鮮やかになる。白色の顔料粒子としては、例えば、酸化チタンの粒子が挙げられる。
【００３０】
白色の着色成分として中空粒子を採用する場合、中空粒子は無色の樹脂で構成されていることが好ましい。インクの色に与える白色の影響を抑えることができるからである。中空粒子を形成するための樹脂としては、例えば、特表２００９−５４３７１０号公報、特開平７−１７９５３３号公報、特開２００３−１８１２７４号公報、特開２００５−６０５２５号公報、特開２００５−１４６２２３号公報、特開２００５−２７２６３３号公報、特開２００７−７５６９８号公報、特開２００８−２３１２４１号公報が挙げられる。
【００３１】
より具体的な態様について図１を用いて説明する。図１は、本発明に係る三次元造形物製造用インクの構成を示す模式図である。説明の簡単のため、内側の着色成分を白色粒子とし、その外側を白色以外の着色成分で覆うものとして説明する。また、図１の（ａ）〜（ｃ）は、着色成分で覆われた白色粒子、（ｄ）及び（ｅ）は当該白色粒子を含むインクを示す。
【００３２】
まず、図１の（ａ）に示すように、白色粒子Ｗの周囲を着色成分Ｃ１でコーティングされた着色粒子ａが挙げられる。外側の着色成分Ｃ１としては、着色された樹脂、顔料等が挙げられる。白色粒子Ｗを、顔料や着色された樹脂等の着色成分Ｃ１でコーティングする方法としては、従来公知のマイクロカプセルの製造方法を適用できる。例えば、特開２００５−３１４５４０号公報に記載の方法等を採用できる。
【００３３】
図１の（ｂ）に示すように、白色粒子Ｗの表面を染料Ｃ２で染めた着色粒子ｂも例示できる。白色粒子を染める染料としては、油性染料がより好ましい。白色粒子Ｗを染料Ｃ２で染める方法としては、従来公知の染料による染色方法を適用できる。また、例えば、溶剤に染料等を溶かして、白色粒子Ｗを入れることで製造することができる。
【００３４】
染料Ｃ２として採用できる染料の具体例としては、例えば、有機溶剤又はＵＶモノマーに溶解又は分散可能な油性染料が挙げられ、代表的な種類としては、アゾ染料、金属錯塩染料、ナフトール染料、アントラキノン染料、インジゴ染料、カーボニウム染料、キノイミン染料、ニトロ染料、ニトロソ染料、ベンゾキノン染料、ナフトキノン染料、ナフタルイミド染料、ペリノン染料、フタロシアニン染料等が挙げられる。これらは一種で用いてもよいし、二種以上を混合して用いてもよい。
【００３５】
図１の（ｃ）に示すように、白色粒子Ｗの表面に着色された粒子Ｃ３を付着させた着色粒子ｃも例示できる。粒子Ｃ３の具体例としては、予め着色された粉末、樹脂の粒子等が挙げられる。また、図１の（ｃ）に示すような粒子は、白色粒子Ｗに粒子Ｃ３をまぶせばよい。白色粒子Ｗと粒子Ｃ３との接着強度を上げるために、互いを異なる極性に帯電させて静電力で付着させてもよい。また、混錬によって白色粒子Ｗに粒子Ｃ３をまぶしてもよい。
【００３６】
また、図１の（ｄ）に示すように、図１の（ａ）〜（ｃ）に示す着色粒子ａ、ｂ、ｃを染料Ｃ２に分散させてもよい。
【００３７】
また、図１の（ｅ）に示すように、吐出される液滴Ｌの中に、着色粒子ａ、ｂ、ｃと、他の本発明の態様とは異なる着色粒子ｐが混在していてもよい。このような態様でも、白色粒子が着色成分の色を隠蔽することができ、着色成分の色を鮮やかにすることができる。
【００３８】
また、本発明に係る三次元造形物製造用インクは紫外線硬化型インクであることがより好ましい。短時間で硬化できるため、積層させることが容易であり、三次元造形物をより短時間で製造することができる。
【００３９】
紫外線硬化型インクは紫外線硬化型化合物を含む。紫外線硬化型化合物としては、紫外線を照射した際に硬化する化合物であれば限定されない。紫外線硬化型化合物としては、例えば、紫外線の照射により重合する硬化型モノマー及び硬化型オリゴマーが挙げられる。硬化型モノマーとしては、例えば、低粘度アクリルモノマー、ビニルエーテル類、オキセタン系モノマー又は環状脂肪族エポキシモノマー等が挙げられる。硬化型オリゴマーとしては、例えば、アクリル系オリゴマーが挙げられる。
【００４０】
本発明に係る三次元造形物製造用インクが紫外線硬化型インクである場合には、光重合開始剤を含むことがより好ましい。光重合開始剤としてはラジカル重合型の光重合開始剤が使用され得る。
【００４１】
絶対屈折率が互いに異なる複数種類の着色成分の混合比は、所望の色合いに応じて適宜設定すればよい。他方の色を隠ぺいする機能を持たせる方の着色成分が白色である場合には、当該他方の色の着色成分の量は、白色の着色成分が球の場合は、４πｒ２の表面を完全に覆う量以上であることが好ましく、また、白色の着色成分が球以外の場合においても表面を完全に覆う量以上であることが好ましい。
【００４２】
（その他の成分）
本発明に係る三次元造形物製造用インクは、被印刷基材に対する接着性の付与等を目的に、アクリル樹脂、エポキシ樹脂、テルペンフェノール樹脂、ロジンエステル等の非反応性樹脂等が配合され得る。添加量は少量とすることが好ましい。なぜなら、サテライトが発生する可能性を低減させることができ、また、耐溶剤性の低下を防ぐことができるからである。
【００４３】
その他に、本発明に係る三次元造形物製造用インクは、本発明の効果を損なわず、且つ吐出安定性を損なわない範囲において、必要に応じて界面活性剤、レベリング添加剤、マット剤、膜物性を調整するためのポリエステル系樹脂、ポリウレタン系樹脂、ビニル系樹脂、アクリル系樹脂、ゴム系樹脂、ワックス類が添加され得る。
【００４４】
＜三次元造形物＞
本発明に係る三次元造形物は、上述の本発明に係る三次元造形物製造用インクで製造されている。本発明に係る三次元造形物製造用インクによって製造されている箇所は、断面にも所望の色合いを出すことができる。よって、断面の色合いが優れた三次元造形物となる。
【００４５】
また、本発明に係る三次元造形物では、透明インクで製造された部位をさらに備えていてもよい。透明性を有する部位と、本発明に係る三次元造形物製造用インクで製造された部位とを併存させることによって、視る者に対して、表現の強調の程度の強弱をつけることができる。例えば、視る者に対して、最も強調すべき部位を本発明に係る三次元造形物製造用インクで製造して、最も強調すべき部位の参考となるものではあるが、当該部位ほど強調する必要が無い部位を透明インクで製造するとよい。
【００４６】
透明インクの具体例としては、染料を着色成分として含む、紫外線硬化型インクが好ましく例示できる。透明性を有し、且つ、硬化させやすいので、三次元造形物の透明部分を容易に製造できる。
【００４７】
本発明に係る三次元造形物のより具体的な好ましい例としては、人体模型、眼球の模型、臓器の模型等が挙げられる。例えば、血管の位置を正確に把握するために模型を製造する場合、その周りの筋肉等を透明インクで製造するとよい。仮に、全ての構造を本発明に係る三次元造形物製造用インクのみで製造すると、筋肉の内側等の血管が見えにくくなることがある。しかし、血管を本発明に係る三次元造形物製造用インクで製造し、周囲の筋肉等を透明インクで製造すれば、血管が見えにくくなることを防ぎ、且つ、周囲の筋肉等に対する血管の位置関係を正確に観察することができる。さらに、これを切断したとき、血管の断面の色も、白色ではなく、実物に近い色にすることができるので、より正確な模型とすることができる。
【００４８】
このような、本発明に係る三次元造形物は、上述の本発明に係る三次元造形物製造用インクを用いて三次元造形物を製造する工程を含む本発明に係る三次元造形物の製造方法によって、好適に得ることができる。また、透明インクで製造された部位をさらに備えている態様の本発明に係る三次元造形物は、透明インクを用いる部位を製造する工程をさらに含む、本発明に係る三次元造形物の製造方法によって、好適に得ることができる。
【００４９】
また、透明インクで製造された部位をさらに備える態様の本発明に係る三次元造形物を製造するための、上述の本発明に係る三次元造形物製造用インクと、透明インクとを備える、三次元造形物製造用インクセットも本発明の範疇である。
【００５０】
＜付記事項＞
以上のように、本発明に係る三次元造形物製造用インクの一実施形態は、白色粒子Ｗの表面の少なくとも一部を着色成分Ｃ１、染料Ｃ２及び粒子Ｃ３が覆っている。
【００５１】
白色粒子Ｗが、外側の着色成分Ｃ１、染料Ｃ２及び粒子Ｃ３の色を隠蔽する機能を発揮する。よって、当該内側の着色成分による色合いをより鮮やかに出すことができる。また、白色は色の隠蔽性により優れている。よって、白色粒子Ｗを覆う着色成分Ｃ１、染料Ｃ２及び粒子Ｃ３の色合いがより鮮やかになる。
【００５２】
本発明に係る三次元造形物製造用インクの一実施形態では、白色粒子Ｗは、白色の顔料粒子である。白色の顔料粒子は色の隠蔽性により優れている。よって、当該白色の顔料粒子を覆う着色成分の色合いがより鮮やかになる。
【００５３】
本発明に係る三次元造形物製造用インクの一実施形態では、白色の着色成分は中空粒子であり、当該中空粒子の外側の表面の少なくとも一部を白色以外の色の着色成分が覆っている。白色の中空粒子も顔料粒子と同様に色の隠蔽性により優れている。よって、当該白色の顔料粒子を覆う着色成分の色合いがより鮮やかになる。
【００５４】
本発明は上述した実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【産業上の利用可能性】
【００５５】
本発明は、三次元造形物の製造に利用することができる。
【符号の説明】
【００５６】
Ｗ  白色粒子
Ｃ１  着色成分
Ｃ２  染料（着色成分）
Ｃ３  粒子（着色成分）
【図１】
2015186849.tif 000003